(57)【要約】【課題】改良されたシーリングフランジを備える転がり軸受を提供すること。【解決手段】転がり軸受は、外側リング１４と、内側リング１６と、径方向において外側リングと内側リングとの間に配置された少なくとも一列の転動要素１８と、外側リング及び内側リングの一方１６の前面１６ｃと軸方向で当接するように取り付けられた少なくとも１つのシーリングフランジ２６と、前記リング１６に前記シーリングフランジを固定するための手段３４と、を備える。固定手段３４が、前記シーリングフランジ２６が接触せずに残された、前記リングの前面１６ｃの領域と、前記領域と隣接する前記シーリングフランジの一部と、を少なくとも局所的に覆う。前記固定手段が環状である。【選択図】図１
2016114247.tif 000002
【特許請求の範囲】
【請求項１】
外側リング（１４）と、内側リング（１６）と、径方向において前記外側リングと前記内側リングとの間に配置された少なくとも一列の転動要素（１８）と、前記外側リング及び前記内側リングの一方（１６）の前面（１６ｃ）と軸方向で当接するように取り付けられた少なくとも１つのシーリングフランジ（２６）と、前記リング（１６）に前記シーリングフランジを固定するための手段（３４）と、を備える転がり軸受において、
前記固定手段（３４）が、前記シーリングフランジ（２６）が接触せずに残された、前記リングの前記前面（１６ｃ）の領域と、前記領域と隣接する前記シーリングフランジの一部と、を少なくとも局所的に覆い、前記固定手段が環状であることを特徴とする軸受。
【請求項２】
前記シーリングフランジ（２６）が、径方向取付部分（２６ａ）を備え、前記径方向取付部分（２６ａ）が、前記リングの前記前面（１６ｃ）と軸方向で当接するように取り付けられ、前記径方向取付部分（２６ａ）には、径方向において前記リングの孔と外面との間に位置する自由端縁部（４４）が設けられていることを特徴とする請求項１に記載の軸受。
【請求項３】
前記固定手段（３４）が、前記シーリングフランジの前記径方向取付部分（２６ａ）の前記自由端縁部（４４）を覆っていることを特徴とする請求項２に記載の軸受。
【請求項４】
前記固定手段（３４）が、前記シーリングフランジの内面の一部を覆い、前記内面が、前記シーリングフランジの前記径方向取付部分（２６ａ）を考慮すると、径方向において前記自由端縁部（４４）から離間する側に位置していることを特徴とする請求項２に記載の軸受。
【請求項５】
前記固定手段（３４）が材料のビードを備えていることを特徴とする請求項１から４のいずれか一項に記載の軸受。
【請求項６】
前記固定手段（３４）が接着剤のビードを備えていることを特徴とする請求項５に記載の軸受。
【請求項７】
前記固定手段（３４）が溶接ビードを備えていることを特徴とする請求項５に記載の軸受。
【請求項８】
他方のリング（１４）に固定され且つ前記リングと係合する少なくとも１つのシール（２２）も備え、前記シーリングフランジ（２６）が、前記シール（２２）に対して前記軸受の軸方向外側にオフセットされていることを特徴とする請求項１から７のいずれか一項に記載の軸受。
【請求項９】
前記シーリングフランジ（２６）が前記シール（２２）と軸方向で接触して取り付けられていることを特徴とする請求項８に記載の軸受。
【請求項１０】
前記シーリングフランジ（２６）が、他方のリングの前記前面（１６ｃ）と軸方向で直接接触して取り付けられていることを特徴とする請求項１から９のいずれか一項に記載の軸受。
【発明の詳細な説明】
【技術分野】
【０００１】
本発明は、転がり軸受、特に自動車又は工業用途で使用される転がり軸受の分野に関する。
【背景技術】
【０００２】
転がり軸受では、通常、１つ以上のシールが、軸受の内部において潤滑剤、例えばグリースを維持するために且つ汚染粒子の侵入を制限するために使用される。通常、このようなシールは、軸受のリングの一方に固定され、且つ他方のリングと係合して動的シールを形成する。
【０００３】
特許文献１は、２つのシールを備える転がり軸受を開示しており、これらシールは、外側リングに固定され、且つ内側リングと摩擦接触する内部リップをそれぞれ備えている。また、軸受は、２つのシーリングフランジを備え、これらシーリングフランジは、内側リングに固定され、且つ関連するシールに対して擦れる外部リップをそれぞれ備えている。各シーリングフランジは、径方向部分を備え、この径方向部分は、内側リングの前面に対して軸方向に取り付けられ、且つ前記リングの孔内に形成された環状溝の内部で折り曲げられた固定部分によって延在させられている。
【０００４】
動作時に、汚染粒子が、シーリングフランジの固定部分と内側リングの溝との間に存在する空間を通って導入され、そして、前記リングと摩擦接触するシールの内部リップに達する可能性がある。具体的に、フランジは、曲げ加工、切断及びプレスによってシート金属ブランクから形成される。さらに、フランジの固定部分は、内側リングの溝の内部に圧力嵌めされている。結果として、フランジのこの固定部分は、良好な平坦性を有する完全な直線形ではない。従って、狭い通路が、フランジの固定部分の外面と内側リングの溝との間に残る。
【先行技術文献】
【特許文献】
【０００５】
【特許文献１】国際公開第２０１１／１２１３８５号パンフレット
【発明の概要】
【発明が解決しようとする課題】
【０００６】
本発明は、この欠点を改善することを目的とする。
【０００７】
より具体的に、本発明は、改良されたシーリングフランジを備える転がり軸受を提供することを目的とする。
【０００８】
また、本発明は、製造及び組み立てが容易な転がり軸受を提供することを目的とする。
【課題を解決するための手段】
【０００９】
一実施形態では、転がり軸受は、外側リングと、内側リングと、径方向において外側リングと内側リングとの間に配置された少なくとも一列の転動要素と、外側リング及び内側リングの一方の前面と軸方向で当接するように取り付けられた少なくとも１つのシーリングフランジと、前記リングに前記シーリングフランジを固定するための手段と、を備える。
【００１０】
固定手段が、前記シーリングフランジが接触せずに残された、前記リングの前面の領域を少なくとも局所的に覆っている。固定手段が、前記領域と隣接する前記シーリングフランジの一部を覆っている。固定手段が環状である。
【００１１】
固定手段は、関連するリングの前面にシーリングフランジを固定し、且つ固定領域において前記フランジと前記リングとの間のシールを保証する。固定手段の環形状は、フランジと関連するリングの前面との間で周方向における連続的なシールを得ることを可能にする。従って、シーリングフランジとこのリングの前面との間での汚染粒子の侵入が防止される。さらに、リングが製造される間に、シーリングフランジを固定するために前記リングの孔又は外面に溝を形成するための追加的な機械加工作業を提供する必要がない。
【００１２】
好ましくは、前記シーリングフランジが、径方向取付部分を備え、径方向取付部分が、前記リングの前面と軸方向で当接するように取り付けられ、径方向取付部分には、径方向において前記リングの孔と外面との間に位置する自由端縁部が設けられている。
【００１３】
一実施形態では、固定手段が、前記シーリングフランジの取付部分の自由端縁部を覆っている。あるいは、固定手段が、前記シーリングフランジの内面の一部を覆い、前記内面が、前記シーリングフランジの径方向取付部分を考慮すると、径方向において自由端縁部から離間する側に位置している。
【００１４】
好ましい一実施形態では、固定手段は、材料のビード、例えば接着剤のビード又は溶接ビードを備えている。
【００１５】
好ましい一実施形態では、軸受は、外側リングに固定され且つ前記リングと係合する少なくとも１つのシールも備え、前記シーリングフランジが、前記シールに対して軸受の軸方向外側にオフセットされている。前記シーリングフランジは、前記シールと軸方向で接触して取り付けられてもよい。
【００１６】
前記シーリングフランジは、前記外側リングの前面と軸方向で直接接触して取り付けられてもよい。
【００１７】
本発明は、全体的に非限定的な例のために与えられ且つ添付の図面で説明される実施形態の詳細な説明を参照することによって、よりよく理解されるであろう。
【図面の簡単な説明】
【００１８】
【図１】本発明の第１の例による転がり軸受の軸方向半断面図である。
【図２】図１の詳細図である。
【図３】本発明の第２の例による転がり軸受の詳細図である。
【発明を実施するための形態】
【００１９】
図１では、軸１２の転がり軸受１０が、外側リング１４と、内側リング１６と、径方向において前記外側リングと内側リングとの間に配置された、本実施形態では玉の形態の複数の転動要素１８と、転動要素の周方向間隔を一定に維持するためのケージ２０と、を備えている。軸受１０は、軸方向において両側に、外側リング１４と内側リング１６との間に存在する径方向空間を閉鎖するための環状シール２２，２４と、前記シール２２，２４と軸受の軸方向外側で当接する環状シーリングフランジ２６，２８と、を備えている。説明される例では、シール２２，２４は外側リング１４に固定されている一方で、シーリングフランジ２６，２８は内側リング１６に固定されている。
【００２０】
外側リング１４は、シリンダ状の軸方向外面１４ａと、シリンダ状の孔１４ｂと、軸方向において前記孔及び外面を画成する、２つの互いに反対側の径方向前面１４ｃ，１４ｄと、孔１４ｂに形成され、且つ断面が転動要素１８に適している凹状の内部外形であるレースウェイであって、径方向内側に向けられた、レースウェイと、を備えている。また、外側リング１４は、孔１４ｂ内に形成され且つ径方向外側に延在する２つの環状溝１４ｅ，１４ｆを備えている。溝１４ｅ，１４ｆは、前面１４ｃ，１４ｄにそれぞれ近接して配置されている。各溝１４ｅ，１４ｆは、軸方向において転動要素１８と前面１４ｃ，１４ｄの一方との間に配置されている。溝１４ｅ，１４ｆは、軸受１０の中心を通過する径方向中間面に関して相互に対称である。
【００２１】
内側リング１６は、シリンダ状の孔１６ａと、シリンダ状の軸方向外面１６ｂと、軸方向において前記孔及び外面を画成する、２つの互いに反対側の径方向前端面１６ｃ，１６ｄと、外面１６ｂに形成され且つ断面が転動要素１８に適している凹状の内部外形であるレースウェイであって、径方向外側に向けられた、レースウェイと、を備えている。前面１６ｃ，１６ｄは平坦である。前面１６ｃ，１６ｄは、滑らかであり、すなわちリブ、突起、ノッチ、溝などを有していない。ケージ２０は、径方向において内側リングの外面１６ｂ及び外側リングの孔１４ｂによって画成された径方向空間内に配置されている。
【００２２】
また、内側リング１６は、外面１６ｂに形成され且つ径方向内側に延在する２つの環状溝１６ｅ，１６ｆを備えている。溝１６ｅ，１６ｆは、前面１６ｃ，１６ｄにそれぞれ近接して配置されている。溝１６ｅ，１６ｆは、軸受１０の径方向中間面に関して相互に対称である。溝１６ｅ，１６ｆは、対応する溝１４ｅ，１４ｆと径方向において向かい合っている。
【００２３】
外側リング１４及び内側リング１６は同心である。説明される例では、リングはソリッドである。“ソリッドリング”は、形状がチューブ、バーストック、鍛造ブランク及び／又は圧延ブランクから（旋削又は研削によって）破片を取り除く機械加工によって得られるリングと理解される。
【００２４】
各シール２２，２４は、径方向において外側リング１４と内側リング１６との間に配置され、且つ前記外側リングに固定され、転動要素１８に対して側方に配置されている。各シール２２，２４は、外側リングにおいて溝１４ｅ，１４ｆの一方の内部に固定されている。各シール２２，２４は、外側リング１４及び内側リング１６によって画成された径方向空間の内部に全体が収納されている。各シール２２，２４は、外側リングの関連する側面１４ｃ，１４ｄに対して軸受１０の軸方向内側にオフセットされている。
【００２５】
この説明される例では、シール２２，２４は、互いに同一であり、且つ軸受１０の径方向中間面に対して対称である。本実施形態ではシール２２，２４が同一であるので、それらの一方のみが説明される。
【００２６】
シール２２は、剛性を有する環状の防護構造又はインサート３０と、インサートに固定された、可撓性を有する環状シーリングガスケット３２と、を備えている。インサート３０は、剛性材料、例えば金属材料又は熱可塑性材料、特にポリアミドから作られる。インサート３０は、ガスケット３２のための補強インサートを形成する。ガスケット３２は、インサート３０上に成形されるか又は加硫処理される。ガスケット３２は、可撓性材料、例えばニトリルゴムのようなエラストマー、又は熱可塑性エラストマー材料から作られる。
【００２７】
ガスケット３２は、インサート３０の外面を覆っている。ガスケット３２は、インサート３０の外側面を覆っている。ガスケット３２は、関連するフランジ２６に向かって軸受の軸方向外側に向けられた環状外側面３６を備えている。ガスケットの側面３６は、シール２２の外側面を形成する。側面３６は平坦である。側面３６は径方向に延在している。前記側面３６から離間しているシールの内側面３８は、転動要素１８の方向で軸受の軸方向内側に向かって向けられている。内側面３８は、インサート３０によって画成されている。
【００２８】
ガスケット３２は、径方向において互いに反対側の２つのシーリング部分を形成し、これらシーリング部分は、外側リング１４との静的シール及び内側リング１６との動的シールをそれぞれもたらす。“静的シール”は、２つの構成要素の間で相対運動がなく作り出されるシールを意味すると理解され、“動的シール”は、２つの構成要素の間の相対運動を示すシールを意味すると理解される。
【００２９】
ガスケット３２の外側シーリング部分は、外側リング１４の溝１４ｅ内に圧力嵌めされており、これにより、前記リングをシール２２に固定する。ガスケット３２の内側シーリング部分は、軸受の内部に向かって軸方向に延在する、同心の第１環状内部リップ３２ａ及び第２環状内部リップ３２ｂを備えている。内部リップ３２ｂは、内側リングの溝１６ｅの径方向壁と軸方向で当接する。内部リップ３２ａは、内部リップ３２ｂよりも大きい直径を有し、且つ径方向において内側リングの外面１６ｂを取り囲み、これにより、前記外面とともにラビリンスタイプの狭い通路を形成する。
【００３０】
各シーリングフランジ２６，２８は、関連するシール２２，２４に対して軸受の軸方向外側にオフセットされている。各シーリングフランジ２６，２８は、内側リングの前面１６ｃ，１６ｄの一方と軸方向で当接し且つ関連するシールのシーリングガスケット３２と軸受１０の軸方向外側で当接するように取り付けられている。フランジ２６，２８は、軸受１０の中心を通過する横径方向面について相互に対称である。説明される例ではフランジ２６，２８が同一であるので、それらの一方のみが本明細書で説明される。
【００３１】
フランジ２６は一体部品である。フランジ２６は、剛性材料、例えば金属材料、有利には切断及びプレスによってシート金属ブランクから作られる。あるいは、フランジ２６は、いくつかの他の剛性材料、例えばポリアミドのような合成材料から作られてもよい。
【００３２】
フランジ２６は、内側リング１６と外側リング１４との間に存在する径方向空間の外部で内側リング１６に固定されている。以下でより詳細に説明されるように、フランジ２６は、前記フランジ及び内側リングに取り付けられる環状固定手段３４によって、内側リングの前面１６ｃに固定されている。固定手段３４は、フランジ２６及び内側リング１６から独立している。固定手段３４は、内側リング１６と外側リング１４との間に存在する径方向空間の外部に配置されている。フランジ２６は、外側リング１４に向かって径方向に延在する。フランジ２６は、内側リングの前面１６ｃと軸方向で接触して取り付けられている。
【００３３】
フランジ２６は、シールの外側面３６と軸方向で当接する。説明される例では、フランジ２６は、シーリングガスケット３２の外側シーリング部分に近い側面３６と軸方向で当接するように取り付けられている。フランジ２６は、軸方向においてシール２０の側に向けられ且つ前記シールと局所的に当接する内側面４０と、軸受の軸方向外側に向けられた外側面４２と、を備えている。フランジ２６は、シール２２と直接接触して取り付けられている。
【００３４】
フランジ２６は、内側リングの前面１６ｃと軸方向で当接するように取り付けられた環状取付部分２６ａと、環形状を有し且つ前記シールの外側面３６と軸方向で接触する、シール２２と当接するための部分２６ｂと、を備えている。取付部分２６ａは、径方向形状を有し、且つフランジの内側部分を形成する。取付部分２６ａは、フランジ２６の孔を画成する自由端縁部４４（図２）を備えている。端縁部４４は、取付部分２６ａの、より一般的にフランジ２６の小径内側縁部を形成する。端縁部４４は、径方向内側でフランジ２６を画成する。フランジ２６は、端縁部４４を延在させる部分を有していない。端縁部４４は、径方向において内側リングにおける孔１６ａと外面１６ｂとの間に位置している。端縁部４４は、径方向において内側リングの前面１６ｃに沿って位置している。端縁部４４は、軸方向において前面１６ｃと隣接する。
【００３５】
当接部分２６ｂは、前記フランジの外側部分又は終端部分を形成する。説明される例では、当接部分２６ｂは、軸方向外側で凹状であり且つ軸方向内側で凸状である湾曲形状を有している。フランジの当接部分２６ｂのみが、シール２２と接触して取り付けられている。
【００３６】
また、フランジ２６は、固定部分２６ａと当接部分２６ｂとの間で延在して前記固定部分及び当接部分に接続される環状接続部分２６ｃを備えている。接続部分２６ｃは、取付部分２６ａの大径端縁部を径方向に延在させ、且つ当接部分２６ｂによって径方向に延在させられる。接続部分２６ｃは、軸方向において可撓性を有し且つ弾性変形可能であるように構成される。接続部分２６ｃは、シール２２に向かって内側に延在する。説明される例では、接続部分２６ｃは、軸受１０の軸方向内側に向かう湾曲形状を有している。
【００３７】
波形部又は起伏４６が、接続部分の軸方向における可撓性及び弾性変形可能性質をさらに高めるために接続部分２６ｃ上に形成されている。起伏４６は、軸受１０の軸方向外側に延在している。説明される例では、起伏４６は、フランジの取付部分２６ａの大径端縁部から延在している。本実施形態では、フランジ２６は、単一の起伏４６を備えている。あるいは、フランジ２６は、径方向における複数の連続した起伏、又は接続部分２６ｃの弾性変形を高める他の形状を備えることができる。
【００３８】
図２でより明確に説明されるように、固定手段３４は、シーリングフランジの自由端縁部４４を覆っており、且つ前記フランジが接触せずに残された、内側リングの前面１６ｃの隣接領域を局所的に覆っている。説明される例では、フランジが接触せずに残された前記隣接領域は、フランジの端縁部４４に対して、より一般的に前記フランジに対して径方向内側にオフセットされている。固定手段３４は、材料の環状ビードの形態にあり、例えば接着剤のビード又は溶接ビードであってもよい。固定手段３４は、固定ビードを形成する。固定手段３４は、周方向において連続的である。
【００３９】
固定手段３４は、２つの機能、すなわちシーリングフランジ２６を内側リングの前面１６ｃに固定する機能と、前記フランジ２６と前記前面との間のシールを保証する機能と、を果たす。固定手段３４の環形状は、フランジの端縁部４４とリングの前面１６ｃとの間での周方向における連続的なシールを得ることを可能にする。従って、シーリングフランジ２６と内側リング１６との間での汚染粒子の侵入が防止される。
【００４０】
さらに、シーリングフランジ２６とシールの外側面３６との間の軸方向の接触は、前記フランジと前記シールとの間での汚染粒子の侵入を制限することを可能にする。説明される例では、フランジ２６は、当接部分２６ｂとシール２２との間の接触によって軸受の軸方向外側に向かって変形させられる。フランジの接続部分２６ｃは、その固有の弾性とは逆に変形させられる。フランジ２６は、シール２２との接触によって軸方向に予め負荷をかけられている。予め負荷をかけられた状態では、フランジの内面４０の側での取付部分２６ａと当接部分２６ｂとの間の軸方向の間隔は、自由状態での取付部分と当接部分との間の軸方向の間隔又は前記フランジのストレスをかけられていない状態での取付部分と当接部分との間の軸方向の間隔よりも小さい。弾性によって、フランジの接続部分２６ｃは、軸方向に負荷をかけられていないか又はストレスをかけられていない位置に戻る傾向がある。従って、フランジの当接部分２６ｂは、恒久的な軸方向予負荷力をシール２２にかける。これは、フランジ２６とシール２２との間の軸方向スライド接触を維持することを可能にする。
【００４１】
同一の要素が同じ参照符号を有する図３で説明される例は、環状固定手段３４の配置のためにのみ第１の例と異なっている。固定手段３４は、シーリングフランジが接触せずに残された、内側リングの前面１６ｃの領域であって、シーリングフランジの取付部分２６ａに対して軸受の径方向外側に向かってオフセットされた、領域を局所的に覆っている。固定手段３４は、前記領域と隣接し且つ前記領域と軸方向において向かい合っているフランジの内側面４０の一部を覆っている。フランジの内側面４０のこの一部は、前記フランジの取付部分２６ａを考慮すると、径方向において端縁部４４から離間する側に位置している。説明される例では、固定手段３４は、例えば接着剤のビードである。
【００４２】
説明される例では、各フランジは、フランジと関連するシールとの間の軸方向の接触を維持するために軸方向に弾性変形可能である。しかしながら、変形例として、弾性変形可能でないフランジを設けることも可能である。変形例として、異なる構成のシールを設けることも可能である。各シールは、関連するフランジの内面に対して擦れる外部リップを備えてもよい。
【００４３】
説明される例では、シーリングフランジは内側リングに固定され、関連するシールは外側リングに固定されている。あるいは、シールが内側リングに固定され且つ関連するフランジが外側リングに固定される逆の配置を提供することも可能である。この場合、固定手段は、シーリングフランジの外径を画成するシーリングフランジの取付部分の自由端縁部を覆うように配置することができる。この縁部は、フランジの大径縁部を形成する。固定手段は、シーリングフランジが接触せずに残された、外側リングの前面の領域であって、フランジの大径自由端縁部に対して径方向外側に向かってオフセットされた、領域を局所的に覆っている。あるいは、フランジが外側リングに固定される場合、固定手段は、シーリングフランジが接触せずに残された、外側リングの前面の領域であって、シーリングフランジの取付部分に対して径方向内側に向かってオフセットされた、領域を局所的に覆うことができ、且つ前記領域と隣接し且つ前記領域と軸方向で向かい合っているフランジの内側面の一部を覆うことができる。
【００４４】
別の変形形態では、各シーリングフランジと関連するシールを設けないことも可能である。この場合、各フランジは、前記フランジがそれに向かって延在するリングと係合し、狭い通路シールを形成することができる。
【符号の説明】
【００４５】
１４  外側リング、１６  内側リング、１６ｃ  前面、１８  転動要素、２２  シール、２６  シーリングフランジ、２６ａ  径方向取付部分、３４  固定手段、４４  自由端縁部
【図１】
2016114247.tif 000003
【図２】
2016114247.tif 000004
【図３】
2016114247.tif 000005
【外国語明細書】
2016114247000001.pdf